(57)【要約】【課題】  ＤＭＡに欠陥が生じた場合、記録容量の無駄な消費を避け、かつアクセスタイムを増大させることなく欠陥が生じたＤＭＡの更新を行うことを可能にする。【解決手段】  ＤＭＡ１，２及びＤＭＡ３，４を対とし、それら対のＤＭＡの一方に欠陥が生じ場合、その欠陥が生じたＤＭＡを更新可能な最も近いセット番号の領域に更新すると共に、対の他方のＤＭＡを、更新されたＤＭＡのセット番号と所定の関係のセット番号の領域に更新し、さらにそれによってスキップされた他方のＤＭＡのセット番号の領域に初期値とは異なる値のデータを書き込むように構成した。  【選択図】図４
2006209919.tif 000002
【特許請求の範囲】
【請求項１】
情報記録媒体の欠陥管理情報を、第１及び第２の系列として、前記情報記録媒体に前記系列毎にセット番号単位で区分けされるように設けられ予め所定の初期値データが記録された予約記録エリアに、順次記録するように構成された欠陥管理情報の処理方法において、
前記第１の系列の欠陥管理情報が記録されたエリアに欠陥が生じた際に、前記第１の系列の予約記録エリアに当該欠陥管理情報を更新するステップと、
前記第１の系列の欠陥管理情報が更新されたエリアの前記セット番号に関連付けて、前記第２の系列の欠陥管理情報を当該第２の系列の予約記録エリアに更新するステップと、
前記第２の系列の欠陥管理情報が更新されたことによりスキップされたセット番号の予約記録エリアに前記初期値とは異なるデータを書き込むステップと、
からなる前記第１の系列の欠陥管理情報が更新情報記録媒体の欠陥管理情報処理方法。
【請求項２】
前記第２の系列の欠陥管理情報の更新処理は、前記第１の系列の欠陥管理情報が更新されたエリアのセット番号に対して、所定数値差を持たせたセット番号の予約記録エリアから開始されることを特徴とする請求項１に記載の情報管理媒体の欠陥管理情報処理方法。
【請求項３】
情報記録媒体の欠陥管理情報を、第１及び第２の系列として、前記情報記録媒体に前記系列毎にセット番号単位で区分けされるように設けられ予め所定の初期値データが記録された予約記録エリアに、順次記録するように構成された欠陥管理情報の処理方法において、
前記第１の系列の欠陥管理情報が記録されたエリアに欠陥が生じた際に、前記第１の系列の予約記録エリアに当該欠陥管理情報を更新するステップと、
前記第１の系列の欠陥管理情報が更新されたことを受けて、前記第２の系列の欠陥管理情報を当該第２の系列の予約記録エリアに更新する処理を、前記第１の系列の欠陥管理情報が更新されたエリアの前記セット番号とは異なるセット番号の第２の系列の予約記録エリアから開始するステップと、
からなる情報記録媒体の欠陥管理情報処理方法。
【請求項４】
データが書き込まれる書込み領域の欠陥管理情報に基づいて前記データを再生する情報記録再生装置において、
前記欠陥管理情報が、第１及び第２の系列として、前記情報記録媒体に前記系列毎にセット番号単位で区分けされるように設けられ予め所定の初期値データが記録された予約記録エリアに、順次記録するように構成され、
さらに、前記第１の系列の欠陥管理情報が記録されたエリアに欠陥が生じた際に、前記第１の系列の予約記録エリアに当該欠陥管理情報を更新すると共に、前記第１の系列の欠陥管理情報が更新されたエリアの前記セット番号に関連付けて、前記第２の系列の欠陥管理情報を当該第２の系列の予約記録エリアに更新し、さらに前記第２の系列の欠陥管理情報が更新されたことによりスキップされたセット番号の予約記録エリアに前記初期値とは異なるデータを書き込まれたものであることを特徴とする情報記録再生装置。
【発明の詳細な説明】
【技術分野】
【０００１】
この発明は、データを書き換えることが可能な光ディスク等の情報記録媒体における、書き換え可能エリアの欠陥領域を管理するための欠陥管理情報の処理方法及びその処理方法を適用した記録再生装置に関する。
【背景技術】
【０００２】
書き換え可能な光ディスク等の情報記録媒体においては、ユーザによってデータの書込みが行われるユーザエリアを備え、当該ユーザエリアにユーザの所望するデータが書き込まれることになる。
【０００３】
このような書き換え可能なエリアにデータを書き込む処理の過程で何らかの要因によって、当該エリアに正常なデータの書き込み、読み出しができない領域が生成されてしまうことがある。
【０００４】
このため、そのような情報記録媒体としての機能を喪失した領域、いわゆる欠陥領域を管理して、データの記録再生が問題なくできるようにするための対応がとられている。
【０００５】
すなわち、欠陥管理エリア（ＤＭＡ：Defect Management Area）が設けられ、このＤＭＡに欠陥領域のアドレス情報を含む情報を保存して、ＤＭＡマネージャによって管理するように構成される。
【０００６】
ＤＭＡは、例えばＨＤ（High-Definition）ＤＶＤ−ＡＲＷでは、ＤＭＡ１〜４の４個で構成され、図１０に示すように、ユーザエリアのリードインエリアにＤＭＡ１，２が記録され、リードインエリアとは、物理的に離れた位置に存在するリードアウトエリアにＤＭＡ３，４が記録される。
【０００７】
各ＤＭＡは、図１１に示すように、例えばＤＤＳ（Disk Definition Structure）／ＰＤＬ（Primarily Defect List）ブロックとＳＤＬ（Secondly Defect List）ブロックとで構成される。ＤＤＳはディスク全般に関する種々の情報を含み、ＰＤＬは例えばディスクをフォーマットした際に発見される初期欠陥の位置情報のリストであり、ＳＤＬは通常の記録時に発見される欠陥位置情報と、交替先の位置情報のリストを含む。すなわち、通常記録時に発見された欠陥領域については、その欠陥領域に書き込まれることになっていたデータをユーザエリア内に確保されたスペアエリアに書き込み、その位置情報をＤＭＡで管理するように構成されている。
【０００８】
さらにＨＤ（High-Definition）ＤＶＤ−ＡＲＷでは、各ＤＭＡ１〜４は、図１０に示すように、ＤＭＡ１−１，ＤＭＡ１−２…ＤＭＡ１−１００、ＤＭＡ２−１，ＤＭＡ２−２…ＤＭＡ２−１００、ＤＭＡ３−１，ＤＭＡ３−２…ＤＭＡ３−１００、ＤＭＡ４−１，ＤＭＡ４−２…ＤＭＡ４−１００というように、それぞれ１００セットから成るように区分けされており、初期状態では、それぞれＦＦｈが書き込まれている。
【０００９】
ＤＭＡも、何らかの要因によってＤＭＡマネージャが読み取ることができないような事態に陥ることがあり、その場合、ＤＭＡ自体が欠陥を生じたことであり、従来、ＤＭＡのいずれかに欠陥が生じた場合、ＤＭＡマネージャは、各ＤＭＡ１〜４を同じセット番号に揃えてそれぞれ同じデータを保持するように更新させることで、ＤＭＡを読み取ることが不可能になるというような事態を避けるようにしている。
【００１０】
従来の欠陥管理情報の更新処理を図１２を参照して説明する。すなわち、図１２（ａ）に示すように、ＤＭＡ１−１に欠陥が生じた場合には、図ＤＭＡ１〜４がそれぞれセット番号２の位置に更新される。このとき、図１２（ｂ）に示すようにＤＭＡ２−２が欠陥であった場合には、図１２（ｃ）に示すように、さらにＤＭＡ１〜４がそれぞれセット番号３の位置に更新されるように構成される。
【００１１】
このように、各ＤＭＡ１〜４で、同じセット番号を揃えて更新することは、欠陥の存在しないセット番号の領域が存在しても、全く使われることなくスキップされることがあるということであり、それが無駄になるという問題を含んでいる。
【００１２】
ＤＭＡ１〜４が欠陥となった場合に、データを他のセット番号の位置に遷移させることは、例えば特許文献１に記載されている。
【００１３】
ＤＭＡ１，２とＤＭＡ３，４は、共にユーザエリアに設けられるが、物理的な位置が離れており、全てのＤＭＡ１〜４が、同じセット番号の位置で欠陥となることは稀であると考えられる。したがって、全てのＤＭＡ１〜４を、同じセット番号で更新するのではなく、少なくとも、物理的に隣接するＤＭＡ１，２の組とＤＭＡ３，４の組とに分けると共に、ＤＭＡ１（あるいはＤＭＡ３）の更新状況を監視して、それに応じてＤＭＡ２（あるいはＤＭＡ４）を更新するようにすれば、ＤＭＡの記録領域を無駄にすることを抑制することができるものと考えられる。
【特許文献１】特開２００４−２８８２８５号公報
【発明の開示】
【発明が解決しようとする課題】
【００１４】
以上のように、従来、ＤＭＡに欠陥が生じた場合、各ＤＭＡ１〜４でセット番号を揃えて更新しているため、ＤＭＡに無駄が生じるという問題があった。
【００１５】
この発明は、以上の点に対処してなされたものであり、ＤＭＡの無駄な消費を抑制し、さらに、更新後のアクセスタイムも大きく損ねることのない欠陥管理情報処理方法を提供することを目的とする。
【００１６】
さらに、この発明は、該欠陥管理情報処理方法を適用した記録再生装置を提供することを目的とする。
【課題を解決するための手段】
【００１７】
この発明に係わる情報記録媒体の欠陥管理情報処理方法は、情報記録媒体の欠陥管理情報を、第１及び第２の系列として、前記情報記録媒体に前記系列毎にセット番号単位で区分けされるように設けられ予め所定の初期値データが記録された予約記録エリアに、順次記録するように構成された欠陥管理情報の処理方法において、前記第１の系列の欠陥管理情報が記録されたエリアに欠陥が生じた際に、前記第１の系列の予約記録エリアに当該欠陥管理情報を更新するステップと、前記第１の系列の欠陥管理情報が更新されたエリアの前記セット番号に関連付けて、前記第２の系列の欠陥管理情報を当該第２の系列の予約記録エリアに更新するステップと、前記第２の系列の欠陥管理情報が更新されたことによりスキップされたセット番号の予約記録エリアに前記初期値とは異なるデータを書き込むステップと、からなることを特徴とする。
【００１８】
この発明に係わる情報記録媒体の欠陥管理情報処理方法は、情報記録媒体の欠陥管理情報を、第１及び第２の系列として、前記情報記録媒体に前記系列毎にセット番号単位で区分けされるように設けられ予め所定の初期値データが記録された予約記録エリアに、順次記録するように構成された欠陥管理情報の処理方法において、前記第１の系列の欠陥管理情報が記録されたエリアに欠陥が生じた際に、前記第１の系列の予約記録エリアに当該欠陥管理情報を更新するステップと、前記第１の系列の欠陥管理情報が更新されたことを受けて、前記第２の系列の欠陥管理情報を当該第２の系列の予約記録エリアに更新する処理を、前記第１の系列の欠陥管理情報が更新されたエリアの前記セット番号とは異なるセット番号の第２の系列の予約記録エリアから開始するステップと、からなることを特徴とする。
【００１９】
また、この発明の情報記録再生装置は、データが書き込まれる書込み領域の欠陥管理情報に基づいて前記データを再生する情報記録再生装置において、前記欠陥管理情報が、第１及び第２の系列として、前記情報記録媒体に前記系列毎にセット番号単位で区分けされるように設けられ予め所定の初期値データが記録された予約記録エリアに、順次記録するように構成され、さらに、前記第１の系列の欠陥管理情報が記録されたエリアに欠陥が生じた際に、前記第１の系列の予約記録エリアに当該欠陥管理情報を更新すると共に、前記第１の系列の欠陥管理情報が更新されたエリアの前記セット番号に関連付けて、前記第２の系列の欠陥管理情報を当該第２の系列の予約記録エリアに更新し、さらに前記第２の系列の欠陥管理情報が更新されたことによりスキップされたセット番号の予約記録エリアに前記初期値とは異なるデータを書き込まれたものであることを特徴とする。
【発明の効果】
【００２０】
本発明によれば、ＤＭＡの無駄な消費を抑制し、さらに、更新後のアクセスタイムも大きく損ねることのない欠陥管理情報処理方法を提供することができるものである。
【発明を実施するための最良の形態】
【００２１】
以下、この発明の実施の形態について図面を参照して詳細に説明する。図１は、この発明に係わる欠陥管理情報処理方法に適応した情報記録再生装置を概略的に説明するための回路ブロック図である。
【００２２】
図１において、情報記録再生装置１００は、媒体（光ディスク）１０１に対してユーザデータを記録したり、媒体１０１に記録されたユーザデータを再生したりする。図１に示すように、情報記録再生装置１００は、媒体１０１にレーザ光を照射し、媒体１０１から反射したレーザ光から情報を取り出すためのドライブ部１０２と、このドライブ部１０２を制御する主制御部１０３を備えている。
【００２３】
ドライブ部１０２は、光学系１０４と制御／信号処理系１０５に分かれ、光学系１０４は、レーザ光を発するレーザ発光素子１０６と、レーザ発光素子１０６から発せられたレーザ光を平行光に変換するコリメートレンズ１０７と、コリメートレンズ１０７によって平行光に変換されたレーザ光を通過させ、媒体１０１から反射してきたレーザ光を反射させる偏向ビームスプリッタ１０８と、偏向ビームスプリッタ１０８を通ったレーザ光、及び媒体１０１から戻ったレーザ光の偏向方向を適切化する４分の１波長板１０９と、レーザ光を媒体１０１の情報記録面に収束させる対物レンズ１１０を備える。さらに、媒体１０１から反射され、さらに偏向ビームスプリッタ１０８で反射されたレーザ光を集光する集光レンズ１１１と、集光レンズ１１１によって集光されたレーザ光を受け、情報信号として検出する光検出器１１２を有する。
【００２４】
制御／信号処理系１０５は、光検出器１１２で検出された情報に基づいて、フォーカスエラー信号を生成するフォーカスエラー信号生成回路１１３と、フォーカスエラー検出回路１１３によって検出されたフォーカスエラー信号によって、光学系１０４を制御するフォーカス制御回路１１４と、光検出器１１２で検出された情報に基づいて、トラッキングエラー信号を生成するトラッキングエラー信号生成回路１１５と、トラッキングエラー検出回路１１５によって検出されたトラッキングエラー信号によって光学系１０４を制御するトラッキング制御回路１１６を備える。
【００２５】
さらに、記録データを変調するための変調回路１１７と、変調回路１１７の出力に基づいて、レーザ発光素子１０６を制御するレーザ制御回路１１８と、光検出器１１０で検出された情報から再生信号を分離抽出する信号処理回路１１９と、抽出された再生信号を復調して再生データとして出力する復調器１２０とを備える。信号処理回路１１９は内部にエラー訂正処理部を備える。
【００２６】
主制御部１０３は、ドライブ部１０２を制御するものであり、機能として記録制御、再生制御の他、交替記録制御、情報更新処理等を司るものである。
【００２７】
以上のように構成された情報記録再生装置１００によるデータの記録動作について説明する。データの記録は、主制御部１０３により制御される。記録データ（データシンボル）は、変調回路１１７により所定のチャネルビット系列に変調される。記録データに対応したチャネルビット系列は、レーザ制御回路１１８によりレーザ駆動波形に変換される。
【００２８】
レーザ制御回路１１８は、レーザ発光素子１０６をパルス駆動し、所望のビット系列に対応したデータを媒体１０１に記録する。レーザ発光素子１０６から放射された記録用の光ビームは、コリメートレンズ１０７で平行光となり、偏向ビームスプリッタ１０８に入射し、透過する。偏向ビームスプリッタ１０８を透過したビームは４分の１波長板１０９を透過し、対物レンズ１１０により媒体１の情報記録面に集光される。集光されたビームは、フォーカス制御回路１１４によるフォーカス制御及びトラッキング制御回路１１６によるトラッキング制御により、記録面上に最良の微小スポットが得られる状態で維持される。
【００２９】
続いて、この情報記録再生装置１００によるデータの再生について説明する。データの再生もまた、主制御部１０３により制御される。主制御部１０３からのデータ再生指示に基づき、レーザ発光素子１０６は再生用の光ビームを放射する。レーザ発光素子１０６から放射された再生用の光ビームは、コリメートレンズ１０７で平行光となり、偏向ビームスプリッタ１０８に入射し、透過する。偏向ビームスプリッタ１０８を透過した光ビームは４分の１波長板１０９を透過し、対物レンズ１１０により媒体１０１の情報記録面に集光される。集光されたビームは、フォーカス制御回路１１４によるフォーカス制御及びトラッキング制御回路１１６によるトラッキング制御により、記録面上に最良の微小スポットが得られる状態で維持される。
【００３０】
このとき、媒体１０１上に照射された再生用の光ビームは、情報記録面内の反射膜あるいは反射性記録膜により反射される。反射光は対物レンズ１１０を逆方向に透過し、再度平行光となる。さらに反射光は４分の１波長板１０９によって、入射光に対して垂直な偏光を持つように変換され、偏向ビームスプリッタ１０８で反射され、集光レンズ１１１により収束光となり、光検出器１１２に入射される。光検出器１１２は、例えば、４分割のフォトディテクタから構成されている。光検出器１１２に入射した光束は光電変換されて電気信号となり増幅される。増幅された信号は信号処理回路１１９にて等化され２値化され、さらにエラー訂正処理部でエラー訂正された後、復調回路１２０に送られる。復調回路１２０では所定の変調方式に対応した復調動作を施されて、再生データが出力される。
【００３１】
また、光検出器１１２から出力される電気信号の一部に基づき、フォーカスエラー信号生成回路１１３によりフォーカスエラー信号が生成される。同様に、光検出器１１２から出力される電気信号の一部に基づき、トラッキングエラー信号生成回路１１５によりトラッキングエラー信号が生成される。フォーカス制御回路１１４は、フォーカスエラー信号に基づきビームスポットのフォーカスを制御する。トラッキング制御回路１１６は、トラッキングエラー信号に基づきビームスポットのトラッキングを制御する。
【００３２】
次に、主制御部１０３による交替処理について説明する。媒体をフォーマットする時には、サーティファイが実行される。このとき、主制御部１０３は、信号処理回路１１９のエラー訂正処理部のエラー情報に基づき、部媒体１０１上の欠陥を検出する。このとき検出された欠陥、即ち初期欠陥に関する欠陥管理情報は、主制御部１０３により媒体のＤＭＡの中のＰＤＬに記録される。欠陥管理情報は、交替元のセクタのアドレスと交替先のセクタのアドレスとを含む。通常の記録時にも、主制御部１０３は、媒体上の欠陥を検出する。このとき検出された欠陥、即ち２次欠陥に関する欠陥管理情報は、主制御部１０３により媒体１０１のＤＭＡの中のＳＤＬに記録される。欠陥管理情報は、交替元のＥＣＣ（Error Correcting Code）ブロックの先頭セクタのアドレスと交替先のＥＣＣブロックの先頭セクタのアドレスとを含む。ＰＤＬ及びＳＤＬに基づき、交替元に対するアクセスは、交替先に対するアクセスと見なされる。また、主制御部１０３は、現在使用中のＤＭＡ領域の検索処理、ＤＭＡの登録及び更新処理を制御する。
【００３３】
現在使用中のＤＭＡの検索は、ＤＭＡマネージャの情報によって実行されるものであり、ＤＭＡマネージャは、インナー側にＤＭＡマネージャ１が設けられ、アウター側にＤＭＡマネージャ２が設けられており、合計で２個設けられている。ＤＭＡマネージャには最新のＤＭＡ１〜４の位置情報が書かれており、その位置情報を検索することが可能である。ＤＭＡマネージャ１と２には同じ内容が書かれており、そのデータ構造を図２に示す。
【００３４】
また、ＤＭＡが更新された位置の特定は、ＤＭＡのデータが初期値のＦＦｈから変化している境界を検出することで行う。すなわち、ＤＭＡ１を例に取って説明すると、図３に示すように、セット番号の若い順に検索していって、ＦＦｈが始めて出現した際に、そのセット番号６の１つ前のセット番号５の領域ＤＭＡ１−５を現在使用中の領域であると判定する。このＤＭＡ１−５が最も新しくＤＭＡが更新された領域である。
【００３５】
次に、本発明に係わる欠陥情報処理方法について、図４及び図５を参照して説明する。図４は、ＤＭＡ１，２のペアに関する処理を説明するための図であり、今ＤＭＡ１−１に欠陥が生じたとすると、主制御部１０３は、ＤＭＡ１−２にデータを更新する処理を行う。この処理は、ＤＭＡ１−２が正常にデータの書込み読出しができるか否かの判定を行うことから開始される。判定の結果ＤＭＡ１−２も欠陥領域であるとされたら、さらに次のＤＭＡ１−３について同様の判定を行う。図４の例においては、ＤＭＡ１−１０が正常に記録再生できる領域であることが判定され、ＤＭＡ１−１０にそれまでＤＭＡ１−１に記録されていたデータが移される。
【００３６】
この移行処理は、当然ながらＤＭＡ１−１からデータを読み出すことができないので、ＤＭＡ２の最も新しいセット番号の領域のデータを読み出してＤＭＡ１−１０に書き込むことで実行される。すなわち、各ＤＭＡ１〜４でそれぞれ最も新しいセット番号の領域には同一のデータが記録されており、それを利用するものである。したがって、このとき仮にＤＭＡ２の最も新しいセット番号の領域も欠陥領域であるとされたら、他のＤＭＡ３あるいは４の最も新しいセット番号の領域のデータをＤＭＡ１−１０に書き込む。
【００３７】
ＤＭＡ１の更新処理が終了したら、次にＤＭＡ２についても更新処理を行う。このときには、ＤＭＡ１の最も新しいセット番号である１０に対して、例えば３少ないセット番号であるＤＭＡ２−７への更新を試みる。図４の例では、ＤＭＡ２−７が欠陥領域であると判定されて、結局ＤＭＡ２−８へのデータの更新が実行される。スキップされた途中のセット番号の領域ＤＭＡ２−２〜ＤＭＡ２−７には、初期値であるＦＦｈのデータ以外のデータを書き込む。これは、主制御部１０３のＤＭＡマネージャが読めなくても、ＦＦｈとＦＦｈ以外の境界をサーチすることで、最新のＤＭＡを見つけることができるようにするためである。
【００３８】
このように、ＤＭＡ１の更新状況に対応させてＤＭＡ２を更新させることにより、ＤＭＡ２の無駄に消費される領域をできるだけ縮減することが可能となるものであり、さらにＤＭＡ１の最新セット番号の近辺にＤＭＡ２の最新セット番号を配置することが可能となるので、更新後のアクセスタイムを短縮することができるようになるものである。
【００３９】
なお、以上の説明では、ＤＭＡ１−１が欠陥領域になった際の処理について説明したが、ＤＭＡ２に欠陥が生じた場合においても、ＤＭＡ２の更新処理が終了した後、その処理状況に応じて、ＤＭＡ１を更新させるように処理が行われる。その場合にも、ＤＭＡ２が更新されたセット番号から例えば３少ない番号のセット番号から更新処理を開始するようにする。
【００４０】
図５は、ＤＭＡ３，４のペアに関する処理を説明するための図であり、今ＤＭＡ３−１に欠陥が生じたとすると、主制御部１０３は、ＤＭＡ３−２にデータを更新する処理を行う。この処理は、ＤＭＡ３−２が正常にデータの書込み読出しができるか否かを判定することから開始される。判定の結果ＤＭＡ３−２も欠陥領域であるとされたら、さらに次のＤＭＡ３−３について同様の判定を行う。図５の例においては、ＤＭＡ３−５が正常に記録再生できる領域であることが判定され、ＤＭＡ３−５にそれまでＤＭＡ３−１に記録されていたデータが移される。
【００４１】
この移行処理は、当然ながらＤＭＡ３−１からデータを読み出すことができないので、ＤＭＡ４の最も新しいセット番号の領域のデータを読み出してそれをＤＭＡ１−１０に書き込むことで実行される。すなわち、各ＤＭＡ１〜４でそれぞれ最も新しいセット番号の領域には同一のデータが記録されており、それを利用するものである。したがって、このとき仮にＤＭＡ４の最も新しいセット番号の領域も欠陥領域であるとされたら、他のＤＭＡ１あるいは２の最も新しいセット番号の領域のデータをＤＭＡ３−５に書き込む。
【００４２】
ＤＭＡ３の更新処理が終了したら、次にＤＭＡ４についても更新処理を行う。このときには、ＤＭＡ３の最も新しいセット番号である５に対して、例えば３少ないセット番号であるＤＭＡ４−２への更新を試みる。図５の例では、ＤＭＡ４−２が正常に記録再生できる領域であると判定され、ＤＭＡ４−１のデータがＤＭＡ４−２移されることで更新処理が完了する。図５の例では、ＤＭＡ４の更新処理に関して、スキップしたセット番号がないので、ＦＦｈの値を変更する必要はないが、仮にスキップしたセット番号が存在する場合には、ＦＦｈの値をそれ以外の値にしておく処理が必要である。
【００４３】
このように、ＤＭＡ３の更新状況に対応させてＤＭＡ４を更新させることにより、ＤＭＡ４の無駄に消費される領域をできるだけ縮減することが可能となるものであり、さらにＤＭＡ３の最新セット番号の近辺にＤＭＡ４の最新セット番号を配置することが可能となるので、更新後のアクセスタイムを短縮することができるようになるものである。
【００４４】
なお、以上の説明では、ＤＭＡ３−１が欠陥領域になった際の処理について説明したが、ＤＭＡ４に欠陥が生じた場合においは逆に、ＤＭＡ４の更新処理が終了した後、その処理状況に応じて、ＤＭＡ３を更新させるように処理が行われる。その場合にも、ＤＭＡ４が更新されたセット番号から例えば３少ない番号のセット番号から更新処理を開始するようにする。
【００４５】
図６は、図４及び図５に示す更新処理を改めて説明するために示すフローチャートである。理解し易くするために図６のフローチャートを図４の処理を実行する場合に特定して説明する。
【００４６】
図６において、ステップＳ６０１で開始され、ステップＳ６０２で、各ＤＭＡ１〜４毎に現在使用中のセット番号を示す符号ｎ（図３ではｎ＝１）を特定する処理を実行する。図次いで、ステップＳ６０３でＤＭＡ１−ｎ（ｎ＝１であるから、ＤＭＡ１−１）に欠陥が生じたか否かの判定がなされる。
【００４７】
ステップＳ６０３でＤＭＡ１−１に欠陥が生じたと判定されたら、ステップＳ６０４でｎを１増加し、ステップＳ６０５でＤＭＡ１−ｎ（この場合ｎ＝２であり、ＤＭＡ１（３）−２）にデータの更新を行う。この際、データはＤＡＭ２の最も新しいセット番号の領域から取得するかあるいはＤＭＡ３，４の最も新しいセット番号の領域から取得する。
【００４８】
次いで、ステップＳ６０６でＤＭＡ１−ｎに正常にデータが更新されたか否かの判定を行い、正常に更新されなかった場合には、ステップＳ６０４に戻る。
【００４９】
ステップＳ６０６で正常に更新されたと判定された場合には、ＤＭＡ２の更新処理に移り、ステップＳ６０７でＤＭＡ２のセット番号を示す数値ｍをＤＭＡ１の新規セット番号ｎから所定値ｘ（例えばｘ＝３）減じた値に設定し、ステップＳ６０８でＤＭＡ２−ｍにデータの更新を行う。
【００５０】
次いで、ステップＳ６０９でＤＭＡ２−ｍに正常にデータが更新されたか否かの判定がなされ、正常にデータが更新されなかったら、ステップＳ６１０でｍを１増加してステップＳ６０８に戻る。また、ＤＭＡ２−ｍに正常にデータが更新された場合には、ステップＳ６１１でＤＭＡ２にスキップしたセット番号の領域が存在したら、そのデータをＦＦｈ以外のデータに書き換え、ステップＳ６１２で処理を終了する。
【００５１】
図６に示すフローチャートを図５の欠陥情報処理に対応させるには、ＤＭＡ１をＤＭＡ３に変え、ＤＭＡ２をＤＭＡ４に変えることのみで可能である。
【００５２】
また、図６に示すフローチャートは、ＤＭＡ１（または３）に欠陥が生じた場合の処理を説明するものであるが、ＤＭＡ２（または４）に欠陥が生じた際の処理も含めると図７に示すフローチャートになる。
【００５３】
すなわち、図７に示すフローチャートにおいては、新規な媒体１０１の使用開始時点から処理が継続される状況を示している。
【００５４】
すなわち、ステップＳ７０１で開始され、ステップＳ７０２でセット番号を示すｎを初期値１に設定する。次いで、ステップＳ７０３で、ＤＭＡ１−ｎに欠陥が生じたか否かの判定がなされ、欠陥が生じたことが検出されない場合には、ステップＳ７０４に移ってＤＭＡ２−ｎで欠陥が生じたか否かの判定がなされ、ステップＳ７０４で欠陥が生じていないと判定されたらステップＳ７０３に戻る。
【００５５】
ステップＳ７０３で欠陥が生じたと判定された場合、それに続くステップＳ７０５〜Ｓ７１２の処理は、図６に示すステップＳ６０４からステップＳ６１１までの処理と全く同じであり、ＤＭＡ１−１に欠陥が生じた場合、最も近い更新可能なセット番号の領域を探してそのセット番号の領域で更新処理を実行し、それに合わせて、ＤＭＡ２の更新処理を実行するものである。ＤＭＡ２の更新処理が終了したら、ステップＳ７０３に戻って現在使用中のセット番号の領域に欠陥が生ずるか否か監視を継続する。
【００５６】
ステップＳ７０４で欠陥が生じたと判定された場合、それに続くステップＳ７１３〜Ｓ７２０の処理は、ステップＳ７０５〜Ｓ７１２までの処理対象を逆にしたもの全く同じであり、ＤＭＡ２−１に欠陥が生じた場合、最も近い更新可能なセット番号の領域を探してそのセット番号の領域で更新処理を実行し、それに合わせて、ＤＭＡ１の更新処理を実行するものである。ＤＭＡ１の更新処理が終了したら、ステップＳ７０３に戻って現在使用中のセット番号の領域に欠陥が生ずるか否か監視を継続する。
【００５７】
以上説明したようにこの発明の欠陥管理情報処理方法によれば、ＤＭＡ１〜４を、物理的に近い距離に設けられるＤＭＡ１とＤＭＡ２及びＤＭＡ３とＤＭＡ４をそれぞれ対にし、それらの対の一方のＤＭＡ（ＤＭＡ１あるいはＤＭＡ３）に欠陥が生じたら、そのＤＭＡを最も近い更新可能なセット番号の領域に更新処理を行う。
【００５８】
次いで、他方のＤＭＡ（ＤＭＡ２あるいはＤＭＡ４）を、更新処理したＤＭＡの更新状況に対応させたセット番号の領域に更新処理を行い、さらにその他方のＤＭＡの更新処理の過程でスキップしたセット番号が存在したら、そのスキップしたセット番号領域に初期値ＦＦｈ以外のデータを書き込むように構成した。
【００５９】
このように、この発明に係わる実施の形態においては、各ＤＭＡ１〜４がセット番号を揃えて同時に更新処理されることがないため、ＤＭＡを無駄に消費することなく、さらにＤＭＡの対が互い近いセット番号に更新されるので、アクセスタイムを大きく損ねるという問題も発生することがなく、極めて効率的に欠陥管理情報を処理することが可能になるものである。
【００６０】
図８は、この発明の他の実施の形態を示す構成図であり、図９はその動作を説明するためのフローチャートである。この実施の形態は、図８に示すように、ＤＭＡ３に欠陥が生じた場合の更新方法として、物理的にディスクの１８０°反対側に書き換えるように構成したものである。
【００６１】
すなわち、たとえば、欠陥の生じたＤＭＡの１８０°±１５°の位置に書き換えて（図９のステップＳ９０２）、それでも欠陥を生じていた場合はまた同じ範囲のＤＭＡに書き換えを行う（ステップＳ９０２〜Ｓ９０５）。
【００６２】
ＤＭＡ４については、ＤＭＡ３の更新によってスキップして（Ｓ９０６）、ＤＭＡ３の少し手前から更新を行う。ＤＭＡ４に欠陥を生じた場合は、逆にＤＭＡ４の欠陥を生じた部分から物理的に１８０°±１５°の位置に書き換えて、更新先で欠陥を生じたら同じ範囲で次のＤＭＡに更新する（ステップＳ９０７〜Ｓ９０９）。
【００６３】
ＤＭＡ４の更新が終了したら、ＤＭＡ４の更新場所の少し手前からＤＭＡ３の更新を行う。１つのＤＭＡのディスク上での物理的長さが１６．８ｃｍであるためインナー側であるＤＭＡ１，２では１つのＤＭＡで１周してしまう。よって、この更新方法はＤＭＡ３，４でのみ適用することが可能である。
【００６４】
以上のように本発明によれば、ＤＭＡに欠陥が生じた場合、各ＤＭＡ１〜４でセット番号を揃えて更新することがないため、ＤＭＡの無駄な消費を抑制し、さらに、更新後のアクセスタイムも大きく損ねることのない欠陥管理情報処理方法を提供することができる。
【００６５】
なお、本発明は以上述べた実施の形態に限定されるものではなく、その趣旨を逸脱しない範囲で種々変形可能である。
【図面の簡単な説明】
【００６６】
【図１】この発明に係わる情報記録再生装置の一実施の形態を説明するために示す概略的回路ブロック図。
【図２】この発明に係わる欠陥管理情報処理方法を説明するために示す構成図。
【図３】この発明に係わる欠陥管理情報処理方法を説明するために示す構成図。
【図４】この発明に係わる欠陥管理情報処理方法を説明するために示す構成図。
【図５】この発明に係わる欠陥管理情報処理方法を説明するために示す構成図。
【図６】この発明に係わる欠陥管理情報処理方法を説明するために示すフローチャート。
【図７】この発明に係わる欠陥管理情報処理方法を説明するために示すフローチャート。
【図８】この発明に他の実施の形態を説明するために示す図。
【図９】図８に示す実施の形態の動作を説明するためのフローチャート。
【図１０】ＤＭＡの構成を説明するために示す構成図。
【図１１】ＤＭＡのデータ構成を説明するために示す図。
【図１２】従来の、欠陥管理情報処理方法を説明するために示す構成図。
【符号の説明】
【００６７】
１００…情報記録再生装置
１０１…媒体（光ディスク）
１０２…ドライブ部
１０３…主制御部
１０４…光学系
１０５…制御／信号処理系
１０６…レーザ発光素子
１０７…コリメータ
１０８…偏向ビームスプリッタ
１０９…４分の１波長板
１１０…対物レンズ
１１１…集光レンズ
１１２…光検出器
【図１】
2006209919.tif 000003
【図２】
2006209919.tif 000004
【図３】
2006209919.tif 000005
【図４】
2006209919.tif 000006
【図５】
2006209919.tif 000007
【図６】
2006209919.tif 000008
【図７】
2006209919.tif 000009
【図８】
2006209919.tif 000010
【図９】
2006209919.tif 000011
【図１０】
2006209919.tif 000012
【図１１】
2006209919.tif 000013
【図１２】
2006209919.tif 000014